(57)【要約】【課題】  正面カバーの内側にある電装品箱を一側に向けてスライドできるように構成し、支柱が正面隅部にない筐体の強度を補強して、本体のコンパクト化とメンテナンス作業の効率化をはかれるようにした空気調和機の室外機を提供する。【課題を解決するための手段】  筐体６内に熱交換器と送風ファンとを設けてなる空気調和機の室外機において、正面部に立設される一側の支柱９ａを後方にずらすとともに、正面カバーの内側に電装品箱１３を一側に向けてスライド可能に設け、後方にずらした前記一側の支柱９ａと、同支柱９ａに固定された一側の側部部材６ａとが、前部部材６ｃと、同前部部材６ｃに対向配置する対向部材１１とからなる補強部１２で連結されてなる構成にした。【選択図】  図４
2009127874.tif 000002
【特許請求の範囲】
【請求項１】
両側面および背面に吸込口を備え、上面に吹出口を備えた筐体内に、前記吸込口を臨ませた熱交換器と、前記吹出口を臨ませた送風ファンとを設けてなる空気調和機の室外機において、
正面部に立設される一側の支柱を後方にずらすとともに、正面カバーの内側に電装品箱を一側に向けてスライド可能に設け、後方にずらした前記一側の支柱と、同支柱に固定された一側の側部部材とが、前部部材と、同前部部材に対向配置する対向部材とからなる補強部で連結されてなることを特徴とする空気調和機の室外機。
【請求項２】
前記補強部が、前記筐体の隅部以外の位置で連結されてなることを特徴とする請求項１に記載の空気調和機の室外機。
【請求項３】
前記補強部が、前記前部部材と前記対向部材との間に中空部を有してなることを特徴とする請求項１または請求項２に記載の空気調和機の室外機。
【発明の詳細な説明】
【技術分野】
【０００１】
本発明は、空気調和機の室外機に係わり、より詳細には、本体のコンパクト化とメンテナンス時の作業の効率化をはかれるようにした構造に関する。
【背景技術】
【０００２】
従来の上部吹出し形の空気調和機の室外機は、筐体の強度と低コスト化、さらには省エネ性や静音化にも優れたものとして、例えば図６に示すように、背面および両側面に設けた吸込口と上面に設けた吹出口とを有する筐体Ａと、同筐体Ａの上面部に設置された図示しない送風ファンと、吸込口に沿って設置された略コ字状の熱交換器Ｂとを備え、前記筐体Ａの側面の骨格は側面上部材Ｃと、底板Ｄと、側面前部材Ｅおよび側面後部材Ｆのそれぞれの端部を結合したロ字状の側面枠部材と、この側面枠部材の対角部を結ぶように設けた補強部材Ｇとを備え、筐体Ａの両側面の各吸込口は後部から前部に到るように各側面の半分以上の大きさの通風面積を有するように形成され、熱交換器Ｂの両側部分は筐体Ａの両側面の各吸込口に沿って前部に到るように、各側面の半分以上の大きさの通風面積を有するように形成されてなるものが開示されていた（例えば、特開２００７−１９２４５３号公報参照）。
【０００３】
上述したように、側面の枠組をロ字状に構成してその対角線に補強部材Ｇを設けることにより、吸込面積を確保しながら筐体Ａの強度を増すように構成される一方、正面カバーＨを正面側に外すことにより、同正面カバーＨの内側にある電装品箱を正面からメンテナンスする構成であることから、同電装品箱の背面側内部における圧縮機と配管のシールチェックや圧力センサ等のメンテナンスを容易にするには、同電装品箱によって、これら圧縮機と配管や圧力センサ等が遮られないように夫々の設置スペースを確保するため、室外機本体を大型化する必要が生じてしまうおそれがあった。
【０００４】
そこで、室外機本体のコンパクト化とメンテナンス時の作業の効率化をはかるには、前記電装品箱を一側にスライドさせる構成にして、同電装品箱の背面側内部を開放可能に構成するなどの工夫が必要であった。
【０００５】
その場合、前記電装品箱が引き出される一側の正面隅部の支柱を、同電装品箱よりも後方にずらして立設させる必要があり、そのため正面一側の隅部に支柱がない構成になってしまうので、筐体としての強度が低下してしまわないように補強しなければならないという問題点を有していた。
【特許文献１】特開２００７−１９２４５３号公報
【発明の開示】
【発明が解決しようとする課題】
【０００６】
そこで、本発明は上述した課題を解決するためになされたものであって、その目的は、支柱が正面一側の隅部にない筐体の強度を補強して、本体のコンパクト化とメンテナンス時の作業の効率化をはかれるようにした空気調和機の室外機を提供することにある。
【課題を解決するための手段】
【０００７】
上述した目的を達成できるように、本体のコンパクト化とメンテナンス時の作業の効率化をはかるため、本発明は以下に示す特徴を備えている。
【０００８】
両側面および背面に吸込口を備え、上面に吹出口を備えた筐体内に、前記吸込口を臨ませた熱交換器と、前記吹出口を臨ませた送風ファンとを設けてなる空気調和機の室外機において、
正面部に立設される一側の支柱を後方にずらすとともに、正面カバーの内側に電装品箱を一側に向けてスライド可能に設け、後方にずらした前記一側の支柱と、同支柱に固定された一側の側部部材とが、前部部材と、同前部部材に対向配置する対向部材とからなる補強部で連結されてなることを特徴としている。
【０００９】
また、前記補強部が、前記筐体の隅部以外の位置で連結されてなることを特徴としている。
【００１０】
また、前記補強部が、前記前部部材と前記対向部材との間に中空部を有してなることを特徴としている。
【発明の効果】
【００１１】
本発明によれば、正面カバーの内側にある電装品箱を一側にスライドさせるように構成し、支柱が正面一側の隅部にない筐体の強度を補強して、本体のコンパクト化とメンテナンス時の作業の効率化をはかれるようにした空気調和機の室外機を提供できる。
【発明を実施するための最良の形態】
【００１２】
次に、本発明の実施形態について図面を参照しながら説明する。
【００１３】
図１は本発明による空気調和機の室外機の斜視図であり、図２は本発明による空気調和機の室外機の骨格をなす筐体の斜視図であり、図３は本発明による空気調和機の室外機の熱交換器を備えた筐体の斜視図であり、図４は図２および図３に示すＡ部の拡大図であり、図５は図２および図３に示すＡ部の拡大図で、（Ａ）は分解斜視図、（Ｂ）は組立状態を示す斜視図である。
【００１４】
本発明による上部吹出し形の空気調和機の室外機は、図１乃至図４に示すように、室外機本体の両側面１および背面２等に吸込口３を備え、上面４に吹出口５を備えた室外機本体内に、前記両側面１および前記背面２に備えた前記吸込口３を臨ませるように底板７上に載置され上面視でコ字状に折曲形成された熱交換器８と、前記吹出口５を臨ませた図示しない送風ファンとを設けている。
【００１５】
前記底板７上には複数の支柱９および９ａが立設されており、これら複数の支柱９および９ａの上端部には、前記両側面１に夫々対向するように一側の側部部材６ａおよび他側の側部部材６ａ’が連結され、前記背面２に対向するように後部部材６ｂが連結され、正面に対向するように前部部材６ｃが連結されている。
【００１６】
前記支柱９ａは、前記底板７上の正面部一側から少許後方にずらした位置に立設されている。前記底板７と、同底板７上に立設された前記支柱９および９ａの上端部に夫々連結された前記一側の側部部材６ａおよび前記他側の側部部材６ａ’と、前記後部部材６ｂと、前記前部部材６ｃとで構成された筐体６内には、図１に示す正面カバー１０の内側に、図４に示す矢印Ａのように、一側に向けて前記支柱９ａの前部でスライドできるように電装品箱１３が設けられている。
【００１７】
これにより、前記電装品箱１３内部のメンテナンス時には、図４に二点鎖線で示す電装品箱１３’のようにスライドさせる（引き出す）ことで作業が行いやすくなり、また、同電装品箱１３を一側に向けてスライドさせることで、同電装品箱１３があった元の位置の背面側内部が前記正面カバー１０を取り外すことにより開放されることになるので、同電装品箱１３の背面側内部における圧縮機と配管のシールチェックや圧力センサ等のメンテナンス時の作業が室外機本体の正面側から行えるようになる。
【００１８】
したがって、前記電装品箱１３内部のメンテナンス時の作業と、同電装品箱１３があった元の位置の背面側内部のメンテナンス時の作業とが、同電装品箱１３を一側にスライドさせることで効率よく行えるようになり、また、本体内部も正面側からチェックできるようになる。
【００１９】
これにより、例えば、前記電装品箱１３をスライドさせることなく本体内部をチェックできるように構成する場合に較べて、室外機本体のコンパクト化をはかる上で有利な構成になる。
【００２０】
前記吸込口３から吸い込まれた空気は、前記熱交換器８を流通したのち、前記送風ファンによって前記吹出口５から室外機本体の上方に吹き出されるようになっており、前記熱交換器８をコ字状に折曲形成することで容量を大きくして熱交換能力を高めることができるようにしている。
【００２１】
前記筐体６は、上述したように前記底板７と、同底板７上に立設された前記複数の支柱９および９ａと、この支柱９および９ａの上端部に夫々連結された前記一側の側部部材６ａおよび前記他側の側部部材６ａ’と、前記後部部材ｂと、前記前部部材６ｃとからなり、前記底板７上の正面部に立設される一側の支柱９ａは少許後方にずらした構成になっているので、この正面部一側の隅部近傍の強度が低下したままにならないよう補強できるようにした構成にしている。
【００２２】
以下、前記筐体６の強度を補強した構成について、図２乃至図５に基づいて詳細に説明する。
【００２３】
略矩形状に形成された前記底板７上の各隅部に立設される前記支柱９および９ａのうち、前記底板７上の正面部に立設される前記一側の支柱９ａは、上述したように少許後方にずらした位置に立設されている。
【００２４】
これにより、前記一側の支柱９ａの前部を含む前記筐体６の一側に向けて、図４に示す矢印Ａのように、前記電装品箱１３をスライド可能に設置できるようになる。
【００２５】
前記一側の支柱９ａを後方にずらしたことで、正面部一側の隅部近傍における前記筐体６としての強度が低下してしまわないように、図２乃至図４に示すように、前記一側の支柱９ａと、同一側の支柱９ａの上端部に固定された前記一側の側部部材６ａとが、前記前部部材６ｃの一側部と、同前部部材６ｃの一側部に対向配置する対向部材１１とからなる補強部１２で連結されて強度を補強している。
【００２６】
前記補強部１２は、図４に示すように、前記筐体６の隅部以外であって、この筐体６一側の隅部から少許後方にずらした位置に、前記一側の側部部材６ａを同一方向（前方）に延長させるような構成で連結されており、これによって、前記筐体６の強度を効果的に補強できるようになっている。
【００２７】
ここで、図５（Ａ）および図５（Ｂ）に基づいて、前記補強部１２を構成する前記前部部材６ｃおよび前記対向部材１１の構造について説明するとともに、同対向部材１１を前記一側の側部部材６ａに連結する手順および前記前部部材６ｃを前記一側の支柱９ａに連結する手順について説明する。
【００２８】
前記対向部材１１は、一端部に係止爪１１ａと複数の挿通孔１１ｂとを有しており、前記一側の支柱９ａの上端部に固定された前記一側の側部部材６ａには、前記係止爪１１ａに対応する係止孔ｃと、前記複数の挿通孔１１ｂに対応するねじ孔ｄとが設けられている。
【００２９】
これにより、図５（Ａ）に示す矢印のように、前記係止爪１１ａを前記係止孔ｃに係止し、図５（Ｂ）に示す状態で、前記挿通孔１１ｂに通した図示しない固定用ねじを前記ねじ孔ｄに螺着して、前記対向部材１１の一端部が、前記一側の支柱９ａに固定されている前記一側の側部部材６ａに連結される。
【００３０】
また、前記前部部材６ｃは、先端部にねじ孔６ｅを備えた係止片６ｄを有しており、前記一側の支柱９ａには、前記係止片６ｄに対応する係止孔ａと、前記ねじ孔６ｅに対応して図示しない固定用ねじを通す挿通孔ｂとが設けられている。
【００３１】
これにより、図５（Ａ）に示す矢印のように、前記係止片６ｄを前記係止孔ａに挿入して係止し、前記挿通孔ｂに通した図示しない固定用ねじを前記ねじ孔６ｅに螺着して、前記前部部材６ｃの先端部が前記一側の支柱９ａに連結される。
【００３２】
次に、前記対向部材１１の他端部に設けられた複数のねじ孔ｅに、同ねじ孔ｅに対応して前記前部部材６ｃに設けられた挿通孔ｆに通した図示しない固定用ねじを螺着して、前記対向部材１１の他端部を前記前部部材６ｃに固定する。
【００３３】
こうして、前記前部部材６ｃおよび前記対向部材１１からなる前記補強部１２が、図４に示すように、前記一側の支柱９ａに固定されている前記一側の側部部材６ａに連結され、前記筐体６正面部一側の隅部近傍の強度が前記補強部１２によって補強されることになる。
【００３４】
なお、前記補強部１２は、図４と、図５（Ａ）および図５（Ｂ）とに示すように、前記前部部材６ｃの一側部が前記一側の支柱９ａおよび前記一側の側部部材６ａに対応して後方に折曲され、この後方に折曲された箇所に前記対向部材１１が対向して組み付けられてなる構成になっており、前記一側の側部部材６ａの一部として、同一側の側部部材６ａを同一方向（前方）に延長するように連結されている。
【００３５】
また、前記対向部材１１は、図示はしないが、前記ねじ孔ｅを備えて前記一側の側部部材６ａと一体的に形成される構成にしてもよく、その場合、前記対向部材１１を別部材として形成しなくてもよいので、コストの低減をはかれるとともに組立作業が簡略化される点で有利な構成になる。
【００３６】
その際、前記補強部１２は、前記前部部材６ｃと前記対向部材１１との間に中空部１２ａを有してなる構成になっており、これによって、これら前部部材６ｃと対向部材１１とが、例えば同様の厚さによる平板同士のものを密接させた構成になっているような場合に較べて、前記補強部１２の強度を大幅に増強させることができて、前記筐体６としての強度を効果的に補強できることになる。
【００３７】
以上説明したように、本構成によれば、前記筐体６の正面部の一側に、前記一側の支柱９ａと、同一側の支柱９ａに固定されている前記一側の側部部材６ａとが、前記前部部材６ｃおよび前記対向部材１１からなり、前記中空部１２ａを有している前記補強部１２で連結されたことにより、前記一側の支柱９ａを少許後方にずらしたことで低下している正面部一側の隅部近傍の強度を補強して、本体のコンパクト化とメンテナンス作業の効率化をはかれるようにした空気調和機の室外機となる。
【図面の簡単な説明】
【００３８】
【図１】本発明による空気調和機の室外機の斜視図である。
【図２】本発明による空気調和機の室外機の骨格をなす筐体の斜視図である。
【図３】本発明による空気調和機の室外機の熱交換器を備えた筐体の斜視図である。
【図４】図２および図３に示すＡ部の拡大図である。
【図５】図２および図３に示すＡ部の拡大図で、（Ａ）は分解斜視図であり、（Ｂ）は組立状態を示す斜視図である。
【図６】従来例による空気調和機の室外機の骨格をなす筐体の斜視図である。
【符号の説明】
【００３９】
１  側面
２  背面
３  吸込口
４  上面
５  吹出口
６  筐体
６ａ  一側の側部部材
６ａ’  他側の側部部材
６ｂ  後部部材
６ｃ  前部部材
６ｄ  係止片
６ｅ  ねじ孔
７  底板
８  熱交換器
９  支柱
９ａ  一側の支柱
１０  正面カバー
１１  対向部材
１１ａ  係止爪
１１ｂ  挿通孔
１２  補強部
１２ａ  中空部
１３，１３’  電装品箱
ａ  係止孔
ｂ  挿通孔
ｃ  係止孔
ｄ  ねじ孔
ｅ  ねじ孔
ｆ  挿通孔
【図１】
2009127874.tif 000003
【図２】
2009127874.tif 000004
【図３】
2009127874.tif 000005
【図４】
2009127874.tif 000006
【図５】
2009127874.tif 000007
【図６】
2009127874.tif 000008